(57)【要約】【課題】簡易に正しい印刷物を出力することが出来る画像形成装置を提供する。【解決手段】記録媒体を収納する第１収納部と、印刷用データを記憶する記憶部と、記憶部に記憶されている印刷用データに基づいて記録媒体に画像を形成する画像形成部と、画像形成部により記録媒体に画像が形成された印刷物を排紙する排紙部と、排紙部に排紙された複数ページからなる印刷物であって、印刷不良ページを含む印刷物を収納する第２収納部と、印刷不良ページと再度画像形成された印刷物とを差し替える際に、記憶部に新たに記憶された印刷用データに基づいて第１収納部に収納された記録媒体に画像を形成して印刷不良ページに対する差し替え用印刷物を作成するとともに、第２収納部に収納された印刷不良ページ以外の印刷物および差し替え用印刷物を排紙部に排紙する制御を実行する制御部と、を備えたことを特徴とする画像形成装置。【選択図】図６
2011207051.tif 000002
【特許請求の範囲】
【請求項１】
記録媒体を収納する第１収納部と、
印刷用データを記憶する記憶部と、
前記記憶部に記憶されている印刷用データに基づいて前記記録媒体に画像を形成する画像形成部と、
前記画像形成部により前記記録媒体に画像が形成された印刷物を排紙する排紙部と、
前記排紙部に排紙された複数ページからなる印刷物であって、印刷不良ページを含む印刷物を収納する第２収納部と、
前記印刷不良ページと再度画像形成された印刷物とを差し替える際に、前記記憶部に新たに記憶された印刷用データに基づいて前記第１収納部に収納された前記記録媒体に画像を形成して前記印刷不良ページに対する差し替え用印刷物を作成するとともに、前記第２収納部に収納された印刷不良ページ以外の印刷物および前記差し替え用印刷物を前記排紙部に排紙する制御を実行する制御部と、を備えたことを特徴とする画像形成装置。
【請求項２】
前記印刷不良ページを設定するためのユーザの指示を受け付ける印刷不良ページ設定部を備えることを特徴とする請求項１に記載の画像形成装置。
【請求項３】
複数の収納部を備え、
前記複数の収納部から、前記第１収納部と前記第２収納部のうち少なくとも一方の収納部を設定するためのユーザの指示を受け付ける収納設定部を備えることを特徴とする請求項１又は２に記載の画像形成装置。
【請求項４】
前記記憶部に記憶されている印刷に関する設定情報である印刷設定データから、再印刷に用いられる印刷設定データを設定するためのユーザの指示を受け付ける再印刷設定部を備えたことを特徴とする請求項１から３のいずれか一項に記載の画像形成装置。
【請求項５】
再印刷の際に前記印刷不良ページを排紙するための印刷不良ページ用排紙部を備え、
前記制御部は、前記第２収納部に収納された前記印刷不良ページを該印刷不良ページ用排紙部に排紙することを特徴とする請求項１から４のいずれか一項に記載の画像形成装置。
【請求項６】
前記印刷設定データを表示する表示部を備え、
前記制御部は、再印刷が不可能である印刷設定データを前記表示部に表示しないことを特徴とする請求項１から５のいずれか一項に記載の画像形成装置。
【請求項７】
前記再印刷が不可能である印刷設定データは、折り処理またはステイプル処理に関する情報を含む印刷設定データであることを特徴とする請求項６に記載の画像形成装置。
【請求項８】
原稿の印刷用データを取得する画像読取部を備え、
前記制御部は、前記画像読取部から再印刷のための印刷用データを取得するとともに、該印刷用データを前記記憶部に記憶することを特徴とする請求項１から７のいずれか一項に記載の画像形成装置。
【請求項９】
前記記録媒体に画像が形成された印刷物に対してパンチ処理を実行する後処理部を備え、
前記制御部は、再印刷の印刷設定データにパンチ処理情報を含む場合、前記差し替え用印刷物に対してのみパンチ処理を実行し、前記印刷不良ページ以外の印刷物に対してはパンチ処理を実行しないことを特徴とする請求項１から８のいずれか一項に記載の画像形成装置。
【請求項１０】
前記制御部は、前記印刷不良ページ設定部により設定された印刷不良ページのページ数と前記記憶部に新たに記憶された印刷用データに基づく画像のページ数とが一致しない場合、該印刷不良ページのページ数と該印刷用データに基づく画像のページ数とが不一致である旨をユーザに通知することを特徴とする請求項２から９のいずれか一項に記載の画像形成装置。
【請求項１１】
前記制御部は、両面印刷またはＮｉｎ１印刷を考慮して前記印刷不良ページ設定部により設定された印刷不良ページのページ数を決定することを特徴とする請求項１０に記載の画像形成装置。
【発明の詳細な説明】
【技術分野】
【０００１】
本発明は、複写機、プリンタ、ファクシミリ等の画像形成装置に係わり、画像形成時に発生するミスプリントの対策に関する。
【背景技術】
【０００２】
ユーザは、原稿を複写機で印刷する際に、プラテンガラス上またはＡＤＦ（Auto Document Feeder）に原稿をセットし、スタート釦を押下することで印刷を実行する。特に、原稿枚数が多い場合、ＡＤＦに原稿をセットして自動で複数枚の原稿の画像データを取得することで、ユーザが一枚ずつプラテンガラス上に原稿をセットすることなく、大量の原稿を自動で印刷することが出来る。
【０００３】
また、上記のように、複写機から原稿の画像データを直接取得するのみならず、複写機に接続されたパーソナルコンピュータや他の複写機やファクシミリ等から印刷データを受信し、当該印刷データがラスタライズされた画像データに基づいて印刷が行われる。
【０００４】
このように、近年においては、ネットワーク環境を加味しつつ、原稿の画像データの取得から印刷まで一連の動作を自動的に行うことが可能な画像形成装置が数多く提供されている。
【０００５】
しかしながら、上述のように自動で原稿の画像データを取得して印刷を行うため、原稿の一部又は全体に誤字がある場合や原稿並べ順に誤りがある場合、さらにはプラテンガラス上に原稿を斜めにセットしてしまった場合等において、スタート釦を一度押下して印刷実行の指示を行うとユーザの要求とはことなる印刷物、所謂印刷不良が発生してしまう。
【０００６】
このような場合、印刷物の一部又は全体には印刷不良が発生したページ（以下、印刷不良ページと称す）が混在するため、印刷終了後にユーザは再度正しい原稿によって印刷し直すとともに、印刷物から印刷不良ページを抜き取って再印刷したものに差し替える必要がある。
【０００７】
また、ユーザが印刷中に排紙トレイに排紙された印刷物を確認して印刷不良ページがあることに気づいた場合、ストップ釦などを押下することで強制的に印刷を中止することが出来るが、上記の場合と同様に印刷物には印刷不良ページが混在してしまう。
【０００８】
このようなことから、特許文献１においては、画像形成装置が原稿の画像データとその出力結果である印刷物の画像データを比較することで印刷不良ページか否かを判別し、印刷不良ページが発生した際には該当紙を分離して排紙することで印刷物への印刷不良ページの混入を防止する対策が行われている。
【０００９】
また、特許文献２においては、原稿の画像データとその出力結果である印刷物の画像データに一定の差異があると判断すると、原稿の画像データと出力結果である印刷物の画像データを並べて表示させ、ユーザによる目視確認の後に排紙口を選択することで印刷物への印刷不良ページの混入を防止している。
【先行技術文献】
【特許文献】
【００１０】
【特許文献１】特開２０００−１０４４３号公報
【特許文献２】特開２００９−６５４８０号公報
【発明の概要】
【発明が解決しようとする課題】
【００１１】
しかしながら、上記特許文献１と２においては、原稿に基づいて出力された印刷物の画像データを読取るためのセンサを必要とするため、製造コストが大幅に増加してしまう。さらに、画像データと出力結果である印刷物の画像データを比較する必要があるため、画像処理の時間が大幅に増加することで印刷速度が低下してしまう。このことは、特に高速印刷を要求する近年のプロダクションプリントのような分野において非常に致命的である。
【００１２】
さらに、上記特許文献１と２においては、原稿の一部又は全体に誤字がある場合、原稿並べ順に誤りがある場合、またはプラテンガラス上に原稿が斜めにセットされた場合など、取得した原稿の画像データ自身に誤りがあるため、印刷物に印刷不良ページがどうしても混在してしまう。そして、このような場合、ユーザは、印刷不良ページを再印刷し直すと共に、印刷不良ページと再印刷した印刷物を差し替える必要がある。
【００１３】
本発明は、上述したような状況に鑑みてなされたもので、その目的は、印刷物に印刷不良ページが混在する際に、簡易に正しい印刷物を出力することが出来る画像形成装置を提供することにある。
【課題を解決するための手段】
【００１４】
本発明の上記目的は、下記の手段によって達成される。
（１）記録媒体を収納する第１収納部と、印刷用データを記憶する記憶部と、前記記憶部に記憶されている印刷用データに基づいて前記記録媒体に画像を形成する画像形成部と、前記画像形成部により前記記録媒体に画像が形成された印刷物を排紙する排紙部と、前記排紙部に排紙された複数ページからなる印刷物であって、印刷不良ページを含む印刷物を収納する第２収納部と、前記印刷不良ページと再度画像形成された印刷物とを差し替える際に、前記記憶部に新たに記憶された印刷用データに基づいて前記第１収納部に収納された前記記録媒体に画像を形成して前記印刷不良ページに対する差し替え用印刷物を作成するとともに、前記第２収納部に収納された印刷不良ページ以外の印刷物および前記差し替え用印刷物を前記排紙部に排紙する制御を実行する制御部と、を備えたことを特徴とする画像形成装置。
（２）前記印刷不良ページを設定するためのユーザの指示を受け付ける印刷不良ページ設定部を備えることを特徴とする上記（１）に記載の画像形成装置。
（３）複数の収納部を備え、前記複数の収納部から、前記第１収納部と前記第２収納部のうち少なくとも一方の収納部を設定するためのユーザの指示を受け付ける収納設定部を備えることを特徴とする上記（１）または（２）に記載の画像形成装置。
（４）前記記憶部に記憶されている印刷に関する設定情報である印刷設定データから、再印刷に用いられる印刷設定データを設定するためのユーザの指示を受け付ける再印刷設定部を備えたことを特徴とする上記（１）から（３）のいずれか一に記載の画像形成装置。
（５）再印刷の際に前記印刷不良ページを排紙するための印刷不良ページ用排紙部を備え、前記制御部は、前記第２収納部に収納された前記印刷不良ページを該印刷不良ページ用排紙部に排紙することを特徴とする上記（１）から（４）のいずれか一に記載の画像形成装置。
（６）前記印刷設定データを表示する表示部を備え、前記制御部は、再印刷が不可能である印刷設定データを前記表示部に表示しないことを特徴とする上記（１）から（５）のいずれか一に記載の画像形成装置。
（７）前記再印刷が不可能である印刷設定データは、折り処理またはステイプル処理に関する情報を含む印刷設定データであることを特徴とする上記（６）に記載の画像形成装置。
（８）原稿の印刷用データを取得する画像読取部を備え、前記制御部は、前記画像読取部から再印刷のための印刷用データを取得するとともに、該印刷用データを前記記憶部に記憶することを特徴とする上記（１）から（７）のいずれか一に記載の画像形成装置。
（９）前記記録媒体に画像が形成された印刷物に対してパンチ処理を実行する後処理部を備え、前記制御部は、再印刷の印刷設定データにパンチ処理情報を含む場合、前記差し替え用印刷物に対してのみパンチ処理を実行し、前記印刷不良ページ以外の印刷物に対してはパンチ処理を実行しないことを特徴とする上記（１）から（８）のいずれか一に記載の画像形成装置。
（１０）前記制御部は、前記印刷不良ページ設定部により設定された印刷不良ページのページ数と前記記憶部に新たに記憶された印刷用データに基づく画像のページ数とが一致しない場合、該印刷不良ページのページ数と該印刷用データに基づく画像のページ数とが不一致である旨をユーザに通知することを特徴とする上記（２）から（９）のいずれか一に記載の画像形成装置。
（１１）前記制御部は、両面印刷またはＮｉｎ１印刷を考慮して前記印刷不良ページ設定部により設定された印刷不良ページのページ数を決定することを特徴とする上記（１０）に記載の画像形成装置。
【発明の効果】
【００１５】
本発明によれば、簡易に正しい印刷物を出力することが出来る画像形成装置を提供することができる。
【図面の簡単な説明】
【００１６】
【図１】画像形成装置１の構成を示す概略図
【図２】画像形成装置１の電気的構成を示すブロック図
【図３】画像形成装置１の動作フロー
【図４】（ａ）印刷用設定画面６０の一例、（ｂ）応用設定画面７０の一例
【図５】ページ差し替え機能設定処理の動作フロー
【図６】ページ差し替え機能設定画面８０の一例
【図７】差し替え対象ＪＯＢ選択確認画面９０の一例
【図８】差し替え対象ＪＯＢ選択画面１００の一例
【図９】印刷処理の動作フロー
【図１０】印刷不良ページが混在する出力済みの印刷物（片面印刷）の一例
【図１１】印刷不良ページが混在する出力済みの印刷物（両面印刷）の一例
【発明を実施するための形態】
【００１７】
以下、添付した図面を参照しながら、本発明の実施形態について説明する。なお、本発明は以下の実施形態に限定されない。また、図面の寸法比率は、説明の都合上誇張されており、実際の比率と異なる場合がある。
【００１８】
図１は、本発明の実施形態における画像形成装置１の構成を示す概略図である。
【００１９】
画像形成装置１の構成は、画像形成装置本体１０、後処理装置３０、大容量給紙装置４０を有する構成である。
【００２０】
画像形成装置本体１０は、自動原稿給紙装置１１、スキャナ部１２、プリンタ部１３、用紙給紙部１４、排紙口１５、操作部１６を備える。
【００２１】
自動原稿給紙装置１１は、ＡＤＦとも呼ばれ、ＡＤＦ用給紙トレイ１１１とＡＤＦ用排紙トレイ１１２を備え、原稿を読み取るために自動で原稿を給紙する装置である。ＡＤＦ用給紙トレイ１１１にセットされた原稿は、図示しないスタート釦の押下を契機に原稿読取用スリットガラス１２１の位置まで搬送されて原稿の画像データが取得される。その後、原稿はＡＤＦ用排紙トレイ１１２に排紙される。
【００２２】
スキャナ部１２は、原稿読取用スリットガラス１２１とプラテンガラス１２２を備え、ＡＤＦ用給紙トレイ１１１から原稿読取用スリットガラス１２１に搬送された原稿やプラテンガラス１２２に置かれた原稿の画像データを取得する。
【００２３】
具体的には、プラテンガラス１２２に置かれた原稿に光源からの光を照射し、当該原稿から反射した反射光をＣＣＤ（Charge Coupled Device）１２３により読取る。自動原稿給紙装置１１を使用する場合、ＡＤＦ用給紙トレイ１１１に置かれた原稿束から原稿が１枚ずつスキャナ部１２の原稿読取用スリットガラス１２１に搬送され、原稿読取用スリットガラス１２１にて原稿の画像データが読取られる。なお、読取られた画像データは印刷用データとして後述するＨＤＤ２４に記憶される。つまり、本発明の実施形態において、スキャナ部１２は本発明の「画像読取部」に相当し、ＨＤＤ２４は本発明の「記憶部」に相当する。
【００２４】
プリンタ部１３は、周知の電子写真方式である帯電、露光、現像、転写、定着を行い、後述する用紙給紙部１４から搬送されてきた用紙に画像を形成する。つまり、本発明の実施形態において、プリンタ部１３は本発明の「画像形成部」に相当する。
【００２５】
具体的には、帯電部１３２により帯電された感光体１３１は印刷用データに基づいて露光部１３３から発せられるレーザービームにより露光走査され、静電潜像が感光体１３１に形成される。次いで、感光体１３１は、現像部１３４でトナーを吸着し、転写部１３５で搬送されてきた用紙にトナーを転写する。トナーを転写された用紙は定着部１３６で熱定着され、画像が用紙に形成される。また、感光体１３１に残ったトナーは、クリーニング部１３６で回収される。なお、画像形成の方式は、電子写真方式には限定されず、例えば、インクジェット方式であってもよい。
【００２６】
用紙給紙部１４は、収納部として種々の用紙を収納するために複数の用紙トレイ１４１〜１４４を備える。用紙トレイ１４４は手差し用紙トレイである。なお、本発明の実施形態においては、用紙トレイを４つ備えることとするがこれに限定されない。また、必要に応じて後述するような大容量給紙装置４０を単数又は複数設置させてもよい。本発明の実施形態においては、用紙トレイ１４１と１４２に画像形成のための用紙が収納され、用紙トレイ１４３に再印刷する際の対象となる印刷物が収納される。これについての詳細は後述するが、本発明の実施形態において、用紙トレイ１４１又は１４２は本発明の「第１収納部」に相当し、用紙トレイ１４３は本発明の「第２収納部」に相当する。
【００２７】
排紙口１５は、画像形成された用紙である印刷物を排紙する。排紙口１５から排紙された印刷物は、後述する後処理装置３０の排紙トレイ３１〜３３のいずれかの排紙トレイに排紙される。
【００２８】
操作部１６は、ＬＣＤ（Liquid Crystal Display）の表示面と一体的に形成されたタッチパネル１６１、テンキー、スタート釦、ストップ釦等を備える。ここで、印刷設定データは、ユーザが操作部１６を操作して、原稿設定、画質設定、倍率設定、応用設定、出力設定、片面／両面設定、用紙設定、ページ差し替え機能などの印刷に関する設定を行うことで作成される。また、ユーザは、操作部１６を介して、ファックスやスキャンやボックス等に関する設定も行うことが出来る。ページ差し替え機能の詳細については、後述することとする。
【００２９】
後処理装置３０は、画像形成装置本体１０に接続され、画像形成装置本体１０の排紙口１５から排紙された印刷物の体裁を整える装置である。具体的には、後処理装置３０は、画像形成装置本体１０の指示の下に後処理を実行する。ここでいう後処理とは、折り処理、糊付け製本処理、ステイプル処理、パンチ処理等のことであり、ユーザの要望によって、これらの後処理を実行可能な後処理装置３０が接続される。
【００３０】
また、後処理装置３０は、図示しない後処理部と、印刷物を積載するための排紙トレイ３１〜３３を備える。なお、本発明の実施形態においては、後処理装置３０としてパンチ処理機を備え、後処理部によって印刷物に対してパンチ処理が実行されることを可能とする。
【００３１】
大容量給紙装置４０は、数千枚の用紙を収納し、必要に応じて画像形成装置本体１０へ用紙を給紙する図示しない用紙トレイを備える。これは、画像形成装置本体１０の用紙トレイ１４１〜１４４と同様な役割を担う。なお、本発明の実施形態においては、大容量給紙装置４０の用紙トレイにポストインサータ用紙が収納されていることとする。
【００３２】
図２は、本発明の実施形態における画像形成装置１の電気的構成を示すブロック図である。
【００３３】
図２に示すように画像形成装置本体１０は、接続部２６を介して後処理装置３０と大容量給紙装置４０に接続している。
【００３４】
画像形成装置本体１０は、ＣＰＵ（Central Processing Unit）２１、ＲＯＭ（Read Only Memory）２２、ＲＡＭ（Random Access Memory）２３、ＨＤＤ２４（Hard Disc Drive）、画像処理部２５、接続部２６、プリンタコントローラ部２７、通信部２８、自動原稿給紙装置１１、スキャナ部１２、プリンタ部１３、用紙給紙部１４、排紙口１５、操作部１６を少なくとも備える。
【００３５】
ＣＰＵ２１は、画像形成装置本体１０の各部を統括的に制御する。また、ＣＰＵ２１は、ＲＯＭ２２に記憶されている各種プログラムの中から指定されたプログラムをＲＡＭ２３に展開し、当該ＲＡＭ２３に展開されたプログラムとの協働で、各種処理を実行する。つまり、本発明の実施形態において、ＣＰＵ２１は本発明における「制御部」に相当する。
【００３６】
ＲＯＭ２２は、前述の通り各種プログラムや各種データを記憶する。例えば、ページ差し替え機能を実現するためのプログラムやタッチパネル１６１に表示される各種画面データを記憶している。
【００３７】
ＲＡＭ２３は、作業領域として一時的にプログラムデータを記憶する。例えば、ＲＡＭ２３は、プリンタ部１３で印刷するためにＨＤＤ２４に記憶された印刷用データを、伸長した１ページ分のデータとして記憶するページメモリとしての機能を担うことができる。
【００３８】
ＨＤＤ２４は、印刷用データと、操作部１６から入力された印刷設定データとを記憶する。なお、本発明の実施形態においては、印刷用データをＨＤＤ２４に記憶させたが、ＨＤＤ２４に代えて印刷用データのみを記憶する画像メモリを設けてもよい。
【００３９】
画像処理部２５は、プリンタ部１３で用紙に画像を形成するために、印刷設定データに基づいて印刷用データを処理する。具体的には、印刷用データは、階調補正や印刷設定データによって指定された濃度や倍率に基づいて処理が施される。なお、ページ差し替え機能が印刷設定データに含まれる場合、当該機能によって設定された差し替え対象である印刷不良ページの原稿から再度取得した印刷用データについてのみ画像処理を実行する。
【００４０】
接続部２６は、通信線Ｌ１、Ｌ２を介してパラレル通信又はシリアル通信を行う通信インターフェイスである。これにより、画像形成装置本体１０は、後処理装置３０と大容量給紙装置４０に接続することが出来る。なお、通信手段は、接続線による有線通信のみならず赤外線通信などの無線通信であってもよい。
【００４１】
プリンタコントローラ部２７は、ＮＩＣ（Network Interface Card）、ＭＯＤＥＭ（Modulator-DEModulator）、ＵＳＢ（Universal Serial Bus）等の各種インターフェイスを備え、通信線Ｌ３を介して外部機器との接続を行う。例えば、プリンタコントローラ部２７は、外部機器であるパーソナルコンピュータ５０と接続され、当該パーソナルコンピュータ５０から印刷データを受信する。なお、接続される外部機器は複数あってよく、外部機器としてパーソナルコンピュータ５０以外にも他の複合機やプリンタであってもよい。
【００４２】
また、プリンタコントローラ部２７は、パーソナルコンピュータ５０から送信された印刷データがページ記述言語であるＰＤＬ（Page description Language）からなる場合、印刷データは画像処理部２５によってラスタライズされたビットマップ形式の印刷用データに変換される。
【００４３】
通信部２８は、プリンタコントローラ部２７から印刷用データを受信する。受信された印刷用データは、前述の通り、ＨＤＤ２４に記憶される。
【００４４】
図３は、本発明の実施形態における画像形成装置１の動作フローを示す。この動作フローは、ＣＰＵ２１によって実行される。
【００４５】
ＣＰＵ２１は、印刷用設定画面６０をタッチパネル１６１に表示する（Ｓ１０１）。この際に表示される印刷用設定画面６０の一例を図４（ａ）に示す。
【００４６】
ユーザは、例えば、印刷用設定画面６０を介して従来処理、ページ差し替え機能設定処理、または印刷処理をＣＰＵ２１に命令することができる。
【００４７】
ＣＰＵ２１は、ユーザによってこれらの処理のどれが選択されたか判断する（Ｓ１０２）。
【００４８】
ＣＰＵ２１は、ユーザが従来処理を選択したと判断すると（Ｓ１０２  従来処理）、従来処理を実行する（Ｓ１０３）。
【００４９】
ここで言う、従来処理とは、ページ差し替え機能設定処理と印刷処理以外の処理のことを示す。本発明の実施形態においては、例えば、従来処理は、ページ差し替え機能設定処理以外の印刷に関する設定処理、並びに、ファックスやスキャンやボックス等に関する処理を示す。
【００５０】
ＣＰＵ２１は、ユーザがページ差し替え機能設定処理を選択したと判断すると（Ｓ１０２  ページ差し替え）、ページ差し替え機能設定処理を実行する（Ｓ１０４）。具体的には、ＣＰＵ２１は、ユーザによって、図４（ａ）の印刷用設定画面６０内の応用設定６１の領域を押下され、続けて次に表示される図４（ｂ）の応用設定画面７０内のページ差し替え機能７１の領域を押下されたか判断する。
【００５１】
ここで言う、ページ差し替え機能設定処理とは、ページ差し替え機能の具体的な動作をユーザが設定する処理のことである。また、ページ差し替え機能とは、出力された印刷物内に印刷不良ページが混在している際に、印刷物の中から印刷不良ページのみを再印刷し、印刷物の中の印刷不良ページと再印刷された印刷物とを差し替える動作を実行するための機能である。ページ差し替え機能設定処理の具体的な動作フローについては後述する。
【００５２】
なお、本発明の実施形態においては、ページ差し替え機能を実現すうるためのプログラムはＲＯＭ２２に記憶されている。また、ページ差し替え機能は、ＣＰＵ２１によって実行される。
【００５３】
ＣＰＵ２１は、ユーザが印刷処理を選択したと判断すると（Ｓ１０２  印刷処理）、印刷処理を実行する（Ｓ１０５）。
【００５４】
ここで言う、印刷処理とは、上述したページ差し替え機能による印刷処理、または、従来どおりの通常の印刷処理のことを示す。印刷処理の具体的な動作フローについては後述する。
【００５５】
図５は、本発明の実施形態におけるページ差し替え機能設定処理の動作フローを示す。
【００５６】
ＣＰＵ２１は、タッチパネル１６１にページ差し替え機能設定画面８０を表示する（Ｓ２０１）。この際に表示されるページ差し替え機能設定画面８０の一例を図６に示す。
【００５７】
ページ差し替え機能設定画面８０は、ユーザへの動作指示を表示する指示領域８１、ユーザが差し替えの対象となるページを設定するための差し替えページ設定領域８２、印刷不良ページが混在する出力済みの印刷物を収容する用紙トレイを設定するための出力済み用紙トレイ領域８３、ユーザが再印刷する際の用紙を設定するための再印刷用紙トレイ領域８４、キャンセル釦８５と、ＯＫ釦８６を備える。
【００５８】
以下に、各領域の詳細な説明を記す。
【００５９】
指示領域８１は、ユーザへの動作指示を表示するための領域である。例えば、指示領域８１には「差し替えページと出力済み用紙トレイと再印刷用紙トレイとを選択して下さい。」との情報が表示される。また、指示領域８１に表示される情報は、これに限定されず、例えば、差し替えページ設定領域８２等の各種設定領域の説明であってもよい。
【００６０】
差し替えページ設定領域８２は、印刷不良ページを設定するための領域である。つまり、差し替えページ設定領域８２は本発明の「印刷不良ページ設定部」に相当する。
【００６１】
本発明の実施形態においては、両面印刷された１０ページからなる原稿において、片面印刷された印刷物の５ページ目に印刷不良ページが発生したと仮定する。なお、印刷不良ページの発生原因として、ＡＤＦ用給紙トレイ１１１から原稿を給紙する際に、誤って原稿を斜めに給紙してしまった場合を想定することとする。また、図１０には、印刷不良ページが混在する出力済みの印刷物の一部の一例を示す。図１０は、印刷不良ページである印刷物の１ページ目１００１、印刷物の２ページ目１００２、印刷物の５ページ目１００５、印刷物の１０ページ目１０１０の外観図を示している。
【００６２】
この場合、ユーザは、差し替えページ設定領域８２内にある各ページ指定釦８７を押下し、操作部１６のテンキー「５」を押下することで印刷不良ページを指定することが出来る。
【００６３】
なお、本発明の実施形態においては、ページ指定釦８７を１８個用意しているが、次項釦８８または前項釦８９を押下することでそれ以上の設定を行うことができる。なお、ページ指定釦８７の数はこれに限定されるものではない。
【００６４】
また、ページ指定釦８７の形態はこれに限定されものではなく、例えば、連続のページを指定可能なページ指定釦としてもよい。この場合、例えば、「Ｐ．５〜Ｐ．８」のように印刷不良ページを指定することが出来る。これにより、一度の設定で多数の印刷不良ページを指定することができるので、ユーザの利便性が向上される。
【００６５】
出力済み用紙トレイ領域８３は、上述の通り、印刷不良ページが混在する出力済みの印刷物を収容する用紙トレイを設定するための領域である。つまり、出力済み用紙トレイ領域８３は本発明の「収納設定部」に相当する。例えば、印刷不良ページが混在する出力済みの印刷物が排紙トレイ３１に排紙された場合、ユーザは、この印刷物を排紙トレイ３１から取り出してユーザが設定する用紙トレイ、つまり本発明の実施形態においては用紙トレイ１４３に収納する。
【００６６】
なお、印刷不良ページが混在する出力済みの印刷物は、用紙給紙部１４のその他の用紙トレイ１４１、１４２、１４４や大容量給紙装置４０の用紙トレイの何れかに収容されてもよい。
【００６７】
再印刷用紙トレイ領域８４は、印刷不良ページを再印刷するにあたり、ユーザが再印刷に用いる用紙が収納されている用紙トレイを設定するための領域である。つまり、再印刷用紙トレイ領域８４は本発明の「収納設定部」に相当する。
【００６８】
本発明の実施形態においては、用紙給紙部１４の用紙トレイ１４１が設定されていることとする。なお、図示されていないが、再印刷に用いる用紙は、用紙給紙部１４のその他の用紙トレイ１４２、１４３、１４４や大容量給紙装置４０の用紙トレイの何れかに収納されてもよい。
【００６９】
ユーザは、ページ差し替え機能設定画面８０の指示領域８１を参考にして、差し替えページ設定領域８２と出力済み用紙トレイ領域８３と再印刷用紙トレイ領域８４の設定を行う（Ｓ２０２）。ＣＰＵ２１は、ユーザによって各領域の設定が行われたと判断すると（Ｓ２０２  設定）、入力された設定値を再印刷の印刷設定データとして設定する（Ｓ２０３）。
【００７０】
ユーザは、ページ差し替え機能を設定せずに終了する場合、キャンセル釦８５を押下する（Ｓ２０２  キャンセル）。なお、本発明の実施形態においては、キャンセル釦８５が押下された場合、タッチパネル１６１に表示されている画面をページ差し替え機能設定画面８０から印刷用設定画面６０に切り替える。
【００７１】
ユーザは、設定を完了する場合、ＯＫ釦を押下する（Ｓ２０２  ＯＫ）。
【００７２】
ＣＰＵ２１は、ＯＫ釦８６が押下されたと判断すると、印刷設定データのページ差し替え機能設定をＯＮにするとともに、ＨＤＤ２４に再印刷の印刷設定データを記憶し（Ｓ２０４）、タッチパネル１６１に差し替え対象ＪＯＢ選択確認画面９０をＰＯＰＵＰで表示する（Ｓ２０５）。この際に表示される差し替え対象ＪＯＢ選択確認画面９０の一例を図７に示す。
【００７３】
ここで言う、差し替え対象ＪＯＢ選択確認画面９０は、印刷不良ページを再印刷する際の印刷設定データとして、ＨＤＤ２４に記憶されている印刷設定データを用いるか否かをユーザに選択させるための画面である。これにより、例えば、ＨＤＤ２４に記憶されている印刷不良ページが混在された印刷物の印刷設定データを容易に再設定することが可能となる。
【００７４】
ユーザは、差し替え対象ＪＯＢ選択確認画面９０の指示領域９１を参考にして、ＨＤＤ２４に記憶されている印刷設定データを用いるか否かの設定を行う（Ｓ２０６）。
【００７５】
ＣＰＵ２１は、いいえ釦９２が押されたと判断すると（Ｓ２０６  いいえ）、ページ差し替え機能設定処理を終了する。
【００７６】
一方、ＣＰＵ２１は、はい釦９３が押されたと判断すると（Ｓ２０６  はい）、タッチパネル１６１に差し替え対象ＪＯＢ選択画面１００を表示する（Ｓ２０７）。この際に表示される差し替え対象ＪＯＢ選択画面１００の一例を図８に示す。
【００７７】
ここで言う、差し替え対象ＪＯＢ選択画面１００とは、印刷不良ページを再印刷する際の印刷設定データとして、ＨＤＤ２４に記憶されている印刷設定データをユーザによって選択させるための画面である。なお、直前に用いられた最新の印刷処理の印刷設定データが優先して表示されることが好ましい。つまり、本発明の実施形態において、差し替え対象ＪＯＢ選択画面１００は本発明の「再印刷設定部」に相当し、それを表示するタッチパネル１６１は本発明の「表示部」に相当する。
【００７８】
差し替え対象ＪＯＢ選択画面１００は、ユーザへの動作指示を表示する指示領域１０１、ＨＤＤ２４に記憶されている印刷設定データを１ＪＯＢずつ表示する複数のＪＯＢ指定釦１０２、次項釦１０３、前項釦１０４、キャンセル釦１０５、確定釦１０６を備える。
【００７９】
ユーザは、差し替え対象ＪＯＢ選択画面１００の指示領域１０１を参考にして、表示されているＪＯＢリストからＪＯＢ指定釦１０２を選択することで、印刷不良ページを再印刷する際の印刷設定データを指定する（Ｓ２０８）。ＣＰＵ２１は、ユーザによってＪＯＢを指定されたと判断すると（Ｓ２０８  ＪＯＢ指定）、指定されたＪＯＢを再印刷する際の印刷設定データとして設定する（Ｓ２０９）。
【００８０】
ただし、ステイプル処理や折り処理によって作成された印刷物に印刷不良ページが発生した場合においては、これらは印刷物としての体裁が整えられているために、再印刷によってページを差し替えることができない。そのため、本発明の実施形態においては、印刷設定データにステイプル処理や折り処理が含まれているＪＯＢは差し替え対象ＪＯＢ選択画面１００に表示されないこととする。
【００８１】
ユーザは、印刷不良ページを再印刷する際の印刷設定データを設定せずに終了する場合、キャンセル釦１０５を押下する（Ｓ２０８  キャンセル）。なお、本発明の実施形態においては、キャンセル釦１０５が押下された場合、タッチパネル１６１に表示されている画面を差し替え対象ＪＯＢ選択画面１００から印刷用設定画面６０に切り替える。
【００８２】
ユーザは、設定を完了する場合、確定釦１０６を押下する（Ｓ２０８  確定）。
【００８３】
ＣＰＵ２１は、確定釦１０６が押下されたと判断すると、Ｓ２０９で設定されたＪＯＢの印設定刷データを再印刷の印刷設定データに反映するとともに（Ｓ２１０）、タッチパネル１６１に表示されている画面を差し替え対象ＪＯＢ選択画面１００から印刷用設定画面６０に切り替える。
【００８４】
なお、本発明の実施形態においては、差し替え対象ＪＯＢ選択画面１００のＪＯＢリストにＪＯＢ指定釦１０２を１画面上に８個表示しているが、次項釦１０２または前項釦１０３を押下することでそれ以上の印刷設定データを表示することができる。また、ＪＯＢ指定釦１０２の数はこれに限定されるものではない。
【００８５】
次に、印刷処理ついて図９を用いて説明する。印刷処理は、ＣＰＵ２１によって制御される。なお、再印刷にあたり、印刷不良ページが混在する出力済みの印刷物は、あらかじめ用紙トレイ１４３に収納されているものとする。また、当該印刷物は、後処理装置３０であるパンチ処理機によって、パンチ処理が施されているものとする。
【００８６】
ＣＰＵ２１は、図示しないスタート釦が押下された場合、ＨＤＤ２４に記憶されている再印刷の印刷設定データを参照し、ページ差し替え機能が有効である否か判断する（Ｓ３０１）。
【００８７】
ＣＰＵ２１は、ページ差し替え機能が有効でないと判断すると（Ｓ３０１  ＯＦＦ）、通常の印刷処理を行い（Ｓ３０２）、処理を終了する。
【００８８】
一方、ＣＰＵ２１は、ページ差し替え機能が有効であると判断すると（Ｓ３０１  ＯＮ）、ユーザによってプラテンガラス１２２上または自動原稿給紙装置１１にセットされた差し替え対象である印刷不良ページの原稿を読み込む（Ｓ３０３）。なお、本発明の実施形態においては、再印刷の際には自動原稿給紙装置１１に５ページ目の原稿１枚がセットされていることとする。
【００８９】
ＣＰＵ２１は、読み込んだ原稿の枚数を確認し、当該原稿の枚数と差し替えページ設定領域８２で設定された印刷不良ページの数とが一致するか否か判断する（Ｓ３０４）。
【００９０】
ＣＰＵ２１は、不一致と判断すると（Ｓ３０４  不一致）、タッチパネル１６１に「原稿枚数と差し替えページ枚数が一致しません。原稿をチェックして再度読み直してください。」とのメッセージを表示する（Ｓ３０５）。なお、表示されるメッセージはこれに限定されるものではない。また、メッセージの表示に代えて警告音を用いてもよく、さらにこれらを組み合わせてもよい。
【００９１】
ＣＰＵ２１は、メッセージを表示した後にスタート釦が再度押下された場合（Ｓ３０６）、ユーザが原稿をセットし直したと判断し、印刷不良ページの原稿を再度読み込む（Ｓ３０３）もしユーザによって一定時間内にスタート釦が押下されなかった場合、図示しないが、ＣＰＵ２１は、印刷処理を一時中断してタッチパネル１６１に印刷用設定画面６０または応用設定画面７０を表示する。
【００９２】
Ｓ３０４において、ＣＰＵ２１は、一致と判断すると（Ｓ３０４  一致）、カウンタＸに１をセットして初期化を行う（Ｓ３０７）。ここで言う、カウンタＸとは、再印刷の際に用紙給紙部１４の用紙トレイ１４３に収納された印刷物のページをカウントするためのものである。なお、カウンタＸはＲＡＭ２３に記憶される。
【００９３】
続いて、ＣＰＵ２１は、印刷物のＸページ目が印刷不良ページであるか否か判断する（Ｓ３０８）。例えば、本発明の実施形態においては、両面印刷された１０ページからなる原稿の５ページ目に印刷不良ページが発生している。そのため、片面印刷された印刷物の１ページ目は、印刷不良ページでないと判断される。
【００９４】
ＣＰＵ２１は、印刷不良ページでないと判断すると（Ｓ３０８  ＮＯ）、用紙トレイ１４３に収納されている印刷物を排紙トレイ３１にそのまま排紙する（Ｓ３０９）。この際に、印刷物は既にパンチが施されているので、ＣＰＵ２１は当該印刷物に対してパンチ処理を実行しない。つまり、既にパンチが施されている印刷物についてはパンチ処理が施されないので、一度目のパンチ位置と少しずれた位置にパンチが再度施されるという状況を避けることが出来るとともに、無駄なパンチ処理を省くことが出来る。
【００９５】
一方、ＣＰＵ２１は、印刷不良ページであると判断すると（Ｓ３０８  ＹＥＳ）、再印刷を実行する（Ｓ３１０）。例えば、本発明の実施形態においては、片面印刷された印刷物の５ページ目は印刷不良ページであると判断され、ＣＰＵ２１は再印刷を実行する。具体的には、ＣＰＵ２１は、用紙トレイ１４１の用紙に、スキャナ部１２によって再度読み込まれた原稿の印刷用データに基づく画像を用紙に形成し、パンチを施した後にこれを印刷物として排紙トレイ３１に排紙する。
【００９６】
用紙トレイ１４３に収納されている印刷不良ページは、排紙トレイ３１とは異なる排紙トレイ３２に排紙される（Ｓ３１１）。つまり、排紙トレイ３２は本発明の「印刷不良ページ用排紙部」に相当する。なお、印刷不良ページは排紙トレイ３３に排紙されてもよい。
【００９７】
本発明の実施形態においては、再印刷の際に、排紙トレイ３１は印刷不良ページ以外の印刷物および再印刷された印刷物を排紙するために用いられ、排紙トレイ３２は印刷不良ページを排紙するために用いられる。つまり、印刷不良ページと印刷不良ページを含まない印刷物が別々の排紙トレイに排紙される。これにより、ユーザは印刷物の中の印刷不良ページと再印刷された印刷物を差し替える必要がない。
【００９８】
ＣＰＵ２１は、カウンタＸが印刷物の最終ページであるか否か判断する（Ｓ３１２）。
【００９９】
ＣＰＵ２１は、最終ページでないと判断すると（Ｓ３１２  ＮＯ）、カウンタＸに１を加算し（Ｓ３１３）、Ｓ３０８に戻る。
【０１００】
一方、ＣＰＵ２１は、最終ページであると判断すると（Ｓ３１２  ＹＥＳ）、図示しないが必要部数分の再印刷が完了したか判断し、完了している場合には印刷処理を終了する。
【０１０１】
以上、本発明の実施形態を図面によって説明してきたが、具体的な構成は実施の形態に示したものに限られるものではなく、本発明の要旨を逸脱しない範囲における変更や追加があっても本発明に含まれる。
【０１０２】
例えば、本発明の実施形態においては、印刷物としての出力形態を片面印刷としたが、これに限定されず、印刷物としての出力形態を両面印刷または複数の原稿を印刷物の１ページとして出力するＮｉｎ１印刷としてもよい。そして、ＣＰＵ２１は、これらを考慮して印刷処理を実行する。
【０１０３】
これについて、図１１を用いて、仮に１０ページからなる原稿を２ｉｎ１で両面印刷された印刷物の１ページ目に印刷不良ページが発生した場合について説明する。なお、図１１は、印刷不良ページである印刷物の１ページ目１１０１、印刷物の２ページ目１１０２、印刷物の３ページ目１１０３、印刷物の４ページ目１１０４、印刷物の５ページ目１１０５、印刷物の６ページ目１１０６の外観図を示している。
【０１０４】
この場合、図１１に示すとおり、印刷不良ページが発生した印刷物の１枚目において、表面には原稿の１ページ目と２ページ目が印字され、裏面には原稿の３ページ目と４ページ目が印字されこととなるので、ユーザは再印刷の際に自動原稿給紙装置１１に原稿の１ページ目から４ページ目までをセットする必要がある。そして、ＣＰＵ２１は、印刷設定データから印刷物の出力形態が２ｉｎ１で両面印刷であるので印刷不良ページが４ページ分の原稿に相当すると判断して印刷処理を実行する。
【０１０５】
また、本発明の実施形態においては、原稿として両面印刷されたものを用いて説明したが、これに限定されず、片面印刷されたものであってもよい。
【０１０６】
また、本発明の実施形態においては、再印刷の際に、差し替え対象である印刷不良ページの原稿のみを自動原稿給紙装置１１にセットしたが、これに限定されず、印刷不良ページの原稿を含む全ての原稿を自動原稿給紙装置１１にセットし、その中から差し替え対象である印刷不良ページの原稿の印刷用データのみを取得してもよい。
【０１０７】
また、本発明の実施形態においては、差し替え対象である印刷不良ページの印刷用データは、自動原稿給紙装置１１から取得されることとしたが、これに限定されず、プリンタコントローラ部２７によって外部機器から受信された印刷データに基づいて変換されたものであってもよい。
【０１０８】
また、本発明の実施形態においては、差し替え対象ＪＯＢ選択画面１００に印刷設定データにステイプル処理や折り処理が含まれているＪＯＢを表示しない例を挙げたが、これらを選択不可能な形式で表示させてもよく、例えば、ＪＯＢ指定釦１０２を網掛けで表示してもよい。
【０１０９】
また、本発明の実施形態においては、差し替え対象ＪＯＢ選択画面１００のＪＯＢ指定釦１０２に表示される印刷設定データの項目として、ＪＯＢの番号を示す「ＪＯＢＮｏ」と、コピー、ファックス、スキャン、ボックスなどの処理を示す「処理モード」、原稿の「ページ数」、「部数」、片面／両面印刷であることを示す「出力形態」を表示したが、これ以外にも、例えば、後処理に関する情報を示す「後処理」、Ｎｉｎ１印刷であることを示す「出力形態」、印刷した日時を示す「日時」、ＪＯＢを実行したユーザを示す「ユーザ名」、実行されたＪＯＢを示す「ＪＯＢ名」などの様々な情報を表示してもよい。
【０１１０】
また、本発明の実施形態においては、差し替え対象ＪＯＢ選択確認画面９０をＰＯＰＵＰで表示させたが、これに限定されず、ＰＯＰＵＰ表示でない通常画面としてタッチパネル１６１に表示させてもよい。
【０１１１】
また、本発明の実施形態においては、画像形成装置本体１０に排紙口１５を１つ備えることとしたが、２つ以上の排紙口を備え、当該排紙口に連結された排紙トレイに印刷物を積載してもよい。これにより、後処理装置３０を介さずとも、再印刷後の印刷物と印刷不良ページを異なる排紙口に排紙することが出来る。この場合、２つの内のいずれかの排紙口に連結される排紙トレイが本発明の「印刷不良ページ用排紙部」に相当する。
【０１１２】
また、用紙トレイ１４１〜１４４および大容量給紙装置４０の用紙トレイに収納される用紙は、本発明の実施形態に限定されない。例えば、Ｂ４、Ｂ５の用紙のサイズの用紙、厚紙または薄紙、色付き用紙など様々な用紙が用いられてもよい。
【０１１３】
また、印刷設定データまたは印刷用データは、必要に応じてハードディスク、ＥＥＰＲＯＭ（Electronically Erasable and Programmable Read Only Memory）、ＵＳＢ（Universal Serial Bus）メモリ、など様々な記憶媒体に記憶させてもよい。
【０１１４】
また、本発明の実施形態の画像形成装置１における各種処理を行う手段および方法は、専用のハードウェア回路、またはプログラムされたコンピュータのいずれによっても実現することが可能である。上記プログラムは、たとえばフレキシブルディスクやＣＤ−ＲＯＭなどのコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送されて記憶される。また、上記プログラムは、単独のアプリケーションソフトとして提供されてもよいし、装置の一機能としてその装置のソフトウェアに組み込まれてもよい。
【符号の説明】
【０１１５】
１  画像形成装置
１０  画像形成装置本体
１１  自動原稿給紙装置
１２  スキャナ部（画像読取部）
１３  プリンタ部（画像形成部）
１４  用紙給紙部
１５  排紙口
１６  操作部
２１  ＣＰＵ（制御部）
２２  ＲＯＭ
２３  ＲＡＭ（記憶部）
２４  ＨＤＤ
２５  画像処理部
２６  接続部
２７  プリンタコントローラ部
２８  通信部
３０  後処理装置
３１  排紙トレイ（排紙部）
３２、３３  排紙トレイ（印刷不良ページ用排紙部）
４０  大容量給紙装置
５０  パーソナルコンピュータ
６０  印刷用設定画面
７０  応用設定画面
８０  ページ差し替え機能設定画面
８１  指示領域
８２  差し替えページ設定領域（印刷不良ページ設定部）
８３  出力済み用紙トレイ領域（収納設定部）
８４  再印刷用紙トレイ領域（収納設定部）
８５  キャンセル釦
８６  ＯＫ釦８６
９０  差し替え対象ＪＯＢ選択確認画面
１００  差し替え対象ＪＯＢ選択画面（再印刷設定部）
１１１  ＡＤＦ用給紙トレイ
１１２  ＡＤＦ用排紙トレイ１
１２１  原稿読取用スリットガラス
１２２  プラテンガラス
１２３  ＣＣＤ
１３１  感光体
１３２  帯電部
１３３  露光部
１３４  現像部
１３５  転写部
１３６  定着部
１３７  クリーニング部
１４１  用紙トレイ（第１収納部）
１４２、１４４  用紙トレイ
１４３  用紙トレイ（第２収納部）
１６１  タッチパネル
【図１】
2011207051.tif 000003
【図２】
2011207051.tif 000004
【図３】
2011207051.tif 000005
【図４】
2011207051.tif 000006
【図５】
2011207051.tif 000007
【図６】
2011207051.tif 000008
【図７】
2011207051.tif 000009
【図８】
2011207051.tif 000010
【図９】
2011207051.tif 000011
【図１０】
2011207051.tif 000012
【図１１】
2011207051.tif 000013